(57)【要約】【課題】静電型の面スピーカを外付けできるようにして、薄型で柔軟性のある静電型の面スピーカの特長を活用した電子楽器を提供する。【解決手段】口棒１２６の３箇所に被取付部１３５が設けられる。面スピーカパネル１３７は、電子鍵盤楽器１２０対し独立して設置される。面スピーカパネル１３７の枠体１３９の上縁部において、取付部品１４０が固着され被取付部１３５に掛け止めされる。口棒１２６に設けられたソケット１３６は、面スピーカパネル１３７のための専用端子である。面スピーカパネル１３７の枠体１３９から入力コード１４２が引き出され、その先端にプラグ１４３を備える。プラグ１４３をソケット１３６に差し込むと面スピーカパネル１３７に駆動信号が供給される。口棒１２６にはヘッドフォン端子１４４も設けられる。【選択図】図１１
2012060195.tif 000002
【特許請求の範囲】
【請求項１】
楽音信号を生成する楽音信号生成部と、該楽音信号生成部により生成された楽音信号に応じた音を出力する内蔵スピーカと、前記楽音信号生成部により生成された楽音信号を増幅し外部に出力する第１の出力端子を有する電子楽器であって、
当該電子楽器の筐体とは独立して、該筐体の外に、前記楽音信号生成部により生成された楽音信号に応じた音を出力する静電型の面スピーカパネルを備えるとともに、
前記静電型の面スピーカパネルへの駆動信号を出力する第２の出力端子と、
前記楽音信号生成部により生成された楽音信号を増幅し、増幅された楽音信号を昇圧トランスにより昇圧し、高電圧のバイアス電圧が重畳された、前記静電型の面スピーカパネルへの駆動信号を、前記第２の出力端子に供給する静電型スピーカ用駆動回路、
を有することを特徴とする電子楽器。
【請求項２】
前記電子楽器の筐体は複数の係着部を有し、
前記静電型の面スピーカパネルは前記複数の係着部に対応する複数の係止部を備え、
前記複数の係着部には、それぞれ、前記第２の出力端子が前記静電型の面スピーカパネルの電極別に分けて設けられ、
前記該複数の係止部には、それぞれ、当該静電型の面スピーカパネルの電極に接続され、前記第２の出力端子に対応する入力端子が設けられ、
前記複数の係止部が前記複数の係着部に係合することにより、前記静電型の面スピーカパネルが前記電子楽器に取付保持される、
ことを特徴とする請求項１に記載の電子楽器。
【請求項３】
前記静電型の面スピーカパネルは、複数の静電型の面スピーカニットが折り曲げ可能な連結部により連結され、前記複数の静電型面スピーカユニットは、対応する電極同士が接続されて前記入力端子に接続される、
ことを特徴とする請求項１又は２に記載の電子楽器。
【発明の詳細な説明】
【技術分野】
【０００１】
本発明は、静電型の面スピーカが筐体外に外付けされる電子楽器に関するものである。
【背景技術】
【０００２】
電気音響変換器として、厚みの薄い面スピーカが知られている。例えば、電極間に電圧を印加しクローン力を利用して駆動する静電型スピーカ（コンデンサスピーカともいう）や、圧電特性を有するフィルムを用いたものなどが知られている。
面スピーカは、平板の面積を広くとるほど、音の指向性が平板に垂直な方向に強くなり、その結果、音が遠くまで到達する。
【０００３】
このうち、静電型スピーカとして、最近注目されているものは、薄型フレキシブル（flexible）静電型スピーカである。これは、薄型・軽量であるとともに、柔軟性があるため、曲げることが可能で、曲げた後に応力が残らず、元の形状に戻りにくいという性質がある（特許文献１，２等参照）。
このような特徴を活用して、複数個の静電型スピーカを折り曲げ可能に連結することにより、カーテンスピーカを実現し、音場を自在にコントロールできるようにしたものが知られている（特許文献２）。
しかし、静電型スピーカのような面スピーカを、その特色を活用して電子楽器に採用することまでは検討されていない。
【先行技術文献】
【特許文献】
【０００４】
【特許文献１】特開２０１０−６８０５３号公報
【特許文献２】特開２００８−２８６５２号公報
【発明の概要】
【発明が解決しようとする課題】
【０００５】
本発明は、上述した問題点を解決するためになされたもので、静電型の面スピーカを外付けできるようにして、薄型で柔軟性のある静電型の面スピーカの特長を活用した電子楽器を提供することを目的とするものである。
【課題を解決するための手段】
【０００６】
本発明は、請求項１に記載の発明においては、楽音信号を生成する楽音信号生成部（図１０の１０３）と、該楽音信号生成部により生成された楽音信号に応じた音を出力する内蔵スピーカ（図１１の１３３，１３４）と、前記楽音信号生成部により生成された楽音信号を増幅し外部に出力する第１の出力端子（１４４）を有する電子楽器（１２０）であって、当該電子楽器の筐体とは独立して、該筐体の外に、前記楽音信号生成部（１０３）により生成された楽音信号に応じた音を出力する静電型の面スピーカパネル（図１１の１３７、図１３の１７１）を備えるとともに、前記静電型の面スピーカパネル（１３７，１７１）への駆動信号を出力する第２の出力端子（図１１の１３６）、前記楽音信号生成部（１０３）により生成された楽音信号を増幅し、増幅された楽音信号を昇圧トランス（図１０の１１２L，１１２R）により昇圧し、高電圧のバイアス電圧（１１３L，１１３R）が重畳された、前記静電型の面スピーカパネル（１３７，１７１）への駆動信号を、前記第２の出力端子（１３６）に供給する静電型スピーカ用駆動回路を有するものである。
静電型の面スピーカは、近似的に２次元面と見なせるような厚みの薄いスピーカであって、平坦で薄い平板形状であるが、薄い平板を湾曲させた曲面、さらには、任意の曲面や、折り曲げ面を形成した面スピーカなど、任意の形態の面スピーカも可能である。
平板形状の面スピーカは、平面波を発生するので、聴取位置が電子鍵盤楽器から遠ざかっても減衰が少なく、よく聞こえる。一方、聴取位置が至近位置になってもうるさく感じられない。
一方、湾曲面が形成された湾曲面スピーカである場合、湾曲面の凸面側においては、音波の指向角が広角になり、湾曲面の凹面側においては、音波が集束する。
第１の出力端子は、ヘッドフォン、モニタースピーカ、キーボードアンプ等に出力する、従来から存在する、比較的低インピーダンスで、かつ、バイアス電圧が重畳されていない。そのため、静電型の面スピーカパネルを第１の出力端子に接続したとしても十分な音量で音を再生できない。
従って、上述した第２の出力端子を設けることにより、静電型の面スピーカパネルを電子楽器の筐体外に設置することが可能となる。
面スピーカの音圧は、低音域が大きく減衰し、周波数が高くなるに従い音圧が大きくなるが、中高音域は面積干渉により平坦な周波数特性を呈する。ここで、面スピーカの面積（振動板の面積）を広くするに従って、面積分だけ低音域の音圧が上がる。
静電型の面スピーカパネルを電子楽器の筐体外に設置することにより、面スピーカの面積（振動板の面積）を広くすることができるから、低音域の音圧を上げることができる。
【０００７】
本発明は、請求項２に記載の発明においては、請求項１に記載の電子楽器において、前記電子楽器（図１１の１２０）の筐体は複数の係着部（１３５）を有し、前記静電型の面スピーカパネル（１３７）は前記複数の係着部（１３５）に対応する複数の係止部（１４０）を備え、前記複数の係着部（１３７）には、それぞれ、前記第２の出力端子が前記静電型の面スピーカパネル（１３７）の電極別に分けて設けられ、前記該複数の係止部（１４０）には、それぞれ、当該静電型の面スピーカパネル（１３７）の電極に接続され、前記第２の出力端子に対応する入力端子が設けられ、前記複数の係止部（１４０）が前記複数の係着部（１３５）に係合することにより、前記静電型の面スピーカパネル（１３７）が前記電子楽器に取付保持されるものである。
従って、静電型の面スピーカパネルを電子楽器の筐体に取付け保持する機構と、静電型の面スピーカパネルの駆動信号を供給するための電気的接続との両者を、複数の係止部と複数の係着部により同時に実現できる。
また、出力端子が静電型の面スピーカパネルの電極別に分けて設けられていることから、静電型の面スピーカパネルを電子楽器に取付け保持する作業時に、万が一、電極間に高電圧が印加されていたとしても、作業者が感電する恐れがない。
【０００８】
本発明は、請求項３に記載の発明においては、請求項１又は２に記載の電子楽器において、前記静電型の面スピーカパネル（図１２の１５０、図１４の１８０）は、複数の静電型の面スピーカニット（１５０Ａ，１５０Ｂ、１８０Ａ，１８０Ｂ）が折り曲げ可能な連結部（１５０Ｃ，１８０Ｃ）により連結され、前記複数の静電型面スピーカユニット（１５０Ａ，１５０Ｂ、１８０Ａ，１８０Ｂ）は、対応する電極同士が接続（１５８，１５９，１６０）されて前記入力端子（１６４）に接続されるものである。
従って、静電型の面スピーカパネルを折り曲げる角度によって音の伝搬方向を変化させたり、不使用時に折り畳んで小さくまとめたりすることができる。
【０００９】
上述した各請求項の引用記載において、「発明を特定するための事項」に付した括弧内の符号は、後述する「発明を実施するための形態」における、「発明を特定するための事項」に対応するものに付した符号である。この符号は、「発明を特定するための事項」とその一例との対応を示すにすぎない。「発明を特定するための事項」は、この符号により対応付けられた一例に限定されない。
【発明の効果】
【００１０】
上述した本発明によれば、薄型で柔軟性のある静電型の面スピーカを外付けでき、静電型の面スピーカパネルとして任意の大きさ、形状のものを使用したり、任意の位置、方向に設置して使用したりすることができるという効果がある。その結果、演奏者や聴衆者に応じて、静電型の面スピーカパネルを最良状態のセッティングにして、演奏及び聴受することができる。
【図面の簡単な説明】
【００１１】
【図１】本願発明の第１の実施形態であるポータブルシンセサイザ型電子鍵盤楽器の外観図である。
【図２】図１に示した実施形態における面スピーカ取付構造を示す第１の説明図である。
【図３】図１に示した実施形態における面スピーカ取付構造を示す第２の説明図である。
【図４】図１に示した実施形態における面スピーカ取付構造の他の具体例を示す第１の説明図である。
【図５】図１に示した実施形態における面スピーカ取付構造の他の具体例を示す第２の説明図である。
【図６】図１に示した実施形態における面スピーカの一具体例である静電型の面スピーカの構造図である。
【図７】図６に示した静電型の面スピーカの第２の具体例を示す部分平面図である。
【図８】図６に示した静電型の面スピーカの第３の具体例を示す部分平面図である。
【図９】図６に示した静電型の面スピーカの第４の具体例を示す部分平面図である。
【図１０】図１に示した実施形態における電子鍵盤楽器の機能ブロック図である。
【図１１】本願発明の第２の実施形態である、外付け面スピーカパネルを備えた電子鍵盤楽器の外観図である。
【図１２】図１１に示した実施形態における静電型の面スピーカの具体例を示す平面図である。
【図１３】本願発明の第３の実施形態である、外付け面スピーカパネルを備えた電子鍵盤楽器の外観図である。
【図１４】図１３に示した実施形態における静電型の面スピーカの具体例を示す部分断面図である。
【発明を実施するための形態】
【００１２】
図１は、本願発明の実施形態であるポータブルシンセサイザ型電子鍵盤楽器の外観図である。
図１（ａ）は斜視図、図１（ｂ）は図１（ａ）の切断線から矢視Xの方向を見た垂直断面の概要図である。
図１（ａ）において、１は側面板（側面部）、２は天板（屋根部）、３は底板（底面部）、４は鍵盤部である。５は上前部である。側面部は、側面板１に加えて上前部５、後傾斜板２ｂ、下後板３ｃ、下前板３ｄを含む。上前部５には上前板８がある。
【００１３】
側面板（側面部）１、天板（屋根部）２、底板（底面部）３、上前板８が電子楽器の筐体となる。これに、鍵盤部４と内部空間１４を有するものが楽器本体部である。
楽器本体部は、鍵盤部４に対するユーザの鍵操作により楽音信号を生成する電子回路ブロック（楽音信号生成部）１３を内蔵する。
ここで、天板２は、その上面において前方左領域、すなわち、鍵盤の低音域にのみ、1又は複数本の横長の線状孔２ａが形成されている。各線状孔２ａは、１段下がった線状板２ｃと対になっており、線状孔２ａが透孔（音孔）となる。厳密にいえば、線状孔２ａと線状板２ｃとの間の隙間が透孔（音孔）となる。天板２の中央寄り左右に、操作パネル６ａ，６ｂを備え、後方の中央にディスプレイ７と操作パネル６ｃを備えている。ディスプレイ７は、電子鍵盤楽器の動作設定をするために、楽音パラメータを表示したり、自動演奏の曲名、楽譜を表示したりする。
図１（ｂ）に示すように、天板２は、その後方が後傾斜板２ｂとなる。底板３は、基板３ａに対し、前方傾斜底板３ｂと下後板３ｃとが組み立てられたものであり、この前方傾斜底板３ｂは下前板３ｄと一体成形されている。
【００１４】
楽器本体部の側面部は、天板２（屋根部）と鍵盤部４との間に上前部５を有し、面スピーカ２２がこの上前部５の上前板８に配設される。
図１（ｂ）に示すように、面スピーカパネル９は、筐体の一面をなし、枠体２１に面スピーカ２２が張設され、この面スピーカ２２がパンチングパネル板２３で覆われたものである。
この実施の形態では、面スピーカパネル９が上前板８の前面に取り付けられることにより、面スピーカ２２は、楽器本体部の一部に配設される。
面スピーカ２２から出る平面波は鋭い指向性があるから、演奏者に聞こえがよい面スピーカ２２の配置は上前部５となる。従って、上前部５の高さが低いため、広い面積が確保できない場合でも、演奏者に対して伝搬効率がよい。
【００１５】
この上前板８は、筐体の左右方向に延設された長尺体であり、音を通過させる1又は複数の透孔（音孔）８ａが形成された格子状の骨組みを有する。詳細は図２、図３を参照して後述する。後述する例では、上前板８のほぼ全面が格子部８ｂである。
加えて、ダイナミック型（動電型）のコーンスピーカ（以下、単に「コーンスピーカ」という）１０が、上述した上前部５における楽器本体部の左側領域に配設されている。
【００１６】
面スピーカ２２は、電子楽器筐体の内部空間１４と外界とを仕切る位置に配設され、面スピーカ２２から出力された音が内部空間１４と外界との双方に伝搬する。
このような面スピーカ２２の配設位置において、面スピーカ２２の前面から出力される音は、パンチングパネル板２３を経て外界に放出される。加えて、面スピーカ２２の背面から出力される音は、上前板８の多数の透孔８ａを経て、内部空間１４に伝搬し、筐体部分、例えば、天板２や基板３ａ等を振動させて外界に音を２次放出させたり、内部空間１４が外界に解放されている複数の線状孔２ａ等から外界に伝搬したりする。
【００１７】
鍵盤部４の鍵盤フレーム４ａは、基板３ａと前方傾斜底板３ｂの上に取り付けられ、鍵盤フレーム４ａは、所定鍵とその隣接鍵との間の鍵盤下方に設けた垂直リブ４ｂにより補強され、白鍵４ｃ及び黒鍵４ｄを支持する。
コーンスピーカ１０は、基板３ａに立設されたフレーム板１１に取り付けられ、その前面開口部１０ａの中心軸CC方向は、前方斜め上である。従って、前面開口部１０ａは、上前板８の背面及び上述した複数の線状孔２ａの方向を向いている。また、上前板８の下部は、保持部材１２によりフレーム板１１に支持される。
【００１８】
図示の例では、前面開口部１０ａの中心軸CCが水平線に対し約４５度で上を向いている。この中心軸CCが垂直方向に近づくほど、コーンスピーカ１０の背面から出力される音（前面開口部１０ａから出力される音とは逆位相の音）も上前部５から出力され、前面開口部１０ａの音と位相干渉することになり、演奏者に直接に伝搬される音の出力が低下するので、好ましくない。なお、天板２の線状孔２ａから出力される、コーンスピーカ１０の背面から出力される音については、演奏者の位置ではさほどの影響がない。
【００１９】
面スピーカパネル９とコーンスピーカ１０とは、上前板８を挟んで、上前板８の前面と背面とに配設されている。
コーンスピーカ１０は、その前面開口部１０ａと1又は複数の透孔８ａによる開口領域の一部とが対向するように配設される。言い換えれば、前面開口部１０ａは、上前板８における複数の透孔８ａの面積の総和である音響透過面積の一部と対向する。図示の例では、前面開口部１０ａが、鍵盤部４の鍵配列方向における、楽器本体部の左端部領域内に位置するように配設される。
【００２０】
一方、面スピーカパネル９の面スピーカ２２は、その振動面と1又は複数の透孔８ａによる開口領域の半分以上とが対向するように配設されている。言い換えれば、面スピーカ２２の背面は、上述した音響透過面積の半分以上と対向するようにする。
図示の例では、面スピーカ２２が上前板８の長手方向に沿って長くされた形状をしており、鍵盤部４の鍵配列方向の幅とほぼ同じ幅にわたって、上前板８の前面に配設されている。鍵盤部４の両側に拍子木４ｅ，４ｆがあり、拍子木４ｅ，４ｆを含めた鍵盤部４の鍵配列方向の幅が、面スピーカ２２とほぼ同じ幅になる。
従って、面スピーカ２２の横幅を長くして面スピーカ２２の面積を広くとることができるので、低音域の音圧が上がるため、低音域における音圧の低下度合いが小さくなる。
【００２１】
面スピーカパネル９とコーンスピーカ１０とは、演奏者の側から見て重なっている。従って、上述したコーンスピーカ１０の前面開口部１０ａに対向する開口領域と、面スピーカ２２に対向する開口領域とは、少なくとも部分的に重複する。図示の例では、完全に重複する。静電型の面スピーカ２２は、膜状を呈し、音響透過性があるので、開口領域が重複しても、コーンスピーカ１０から出力される音も前面に出力される。
上述した面スピーカ２２及びコーンスピーカ１０は、電子回路ブロック（楽音信号生成部）１３から出力された楽音信号に応じた音を出力する。
【００２２】
面スピーカ２２は、その前面と背面とから音が放出される。面スピーカ２２は、背面の空気層の空気バネと振動板とが共振し、共振周波数より低い周波数では音圧が低下する。ここで、共振周波数は、背面の空気層が薄いほど高くなる。そのため、面スピーカ２２を板体（図示の上前板８）より外界側に配設した場合、面スピーカ２２の背面に十分な厚さの空気層が形成されている必要がある。この空気層は1cmあればよく、3cmもあれば十分である。
しかし、1又は複数の透孔８ａを板体（上前板８）に形成しておけば、面スピーカ２２の背面から出力される音を筐体の内部空間１４の側に逃がす作用を奏するので、面スピーカ２２の背面側の空気層が薄くても、これを補って、上述した共振周波数が高くなりすぎないようにする作用を奏する。
コーンスピーカ１０の前面開口部１０ａから放出された音は、面スピーカ２２を透過して前面に放出されるとともに、天板２の線状孔２ａからも放出される。
【００２３】
なお、面スピーカは、また、底板（底面部）の前方傾斜底板３ｂに配設されてもよく、後傾斜板２ｂに配設されてもよい。図示の下後板３ｃは、その前後に上下２段になっており、その上段である後上底板３ｅに面スピーカを配設してもよい。前方傾斜底板３ｂ、後傾斜板２ｂ、後上底板３ｅに、多数の透孔（音孔）を開けて面スピーカを配設することができる。面スピーカは、複数の箇所に配設されてもよい。また、面スピーカは、電子楽器の筐体の外側に配設されてもよいし、筐体の内側に配設されてもよい。
一方、コーンスピーカ１０は、基板（棚板）３ａに配設されてもよく、電子楽器の複数の箇所に配設されてもよい。
【００２４】
図２は、図１に示した実施形態における面スピーカ取付構造を示す第１の説明図である。
図２（ａ）は図１（ｂ）に示した垂直断面の部分拡大図、図２（ｂ）は保持部材１２の取付構造を示す斜視図である。
図示の例では、上前板８が天板２と一体的に成型されている。上前板８は、全体として、複数の透孔８ａが形成された格子部８ｂを有し、格子部８ｂの周囲領域に取付孔８ｃ，８ｄが形成されている。
【００２５】
上前板８の下部は、前方に折り返して段差部８ｅを有し、段差部８ｅの下面において、図示しないネジ部材により保持部材１２に取り付けられる。
保持部材１２は、その前部において、縦に直角に折り曲げられ、さらにその下部が水平に切り起されて取付部１２ａとなり、ここに上前板８を取り付けるためのネジ孔１２ｂが形成されている。
保持部材１２は、その後部において、縦に直角に折り曲げられて取付部１２ｃがあり、この保持部材１２を、図１（ｂ）に示したフレーム板１１に取り付けるための取付孔１２ｄが形成されている。
【００２６】
面スピーカパネル９の枠体２１は、中央に大きな矩形の開口部２１ａを備えた、面スピーカ２２の支持体である。その上縁部と下縁部の背面側において、鍵盤部４の鍵配列方向の２箇所以上において、係合突起が形成されている。この係合突起は、図３に拡大図示されているように、弾性変形部２１ｂと係止部２１ｃ、弾性変形部２１ｅと係止部２１ｆにより構成されている。
面スピーカ２２は、枠体２１の前面から枠体２１の上縁部、下縁部を回って枠体２１の背面まで張設されて接着剤等により枠体２１に固着される。
パンチングパネル板２３の上端部２３ａは、枠体２１の上部の曲面に沿って曲面を描き、天板２の前端面に沿って直角に折り曲げられ、次に、枠体２１の上部の前面に接するように折り曲げられている。ネジ部材２５が、枠体２１の取付孔２１ｄを通して面スピーカ２２、パンチングパネル板２３の折り返し部のネジ孔２３ｂまでねじ込まれる。
一方、パンチングパネル板２３の下端部２３ｃは、面スピーカ２２が固着された枠体２１の前面から直角に折り曲げられている。この下端部２３ｃの上面は、取付部２３ｄが面スピーカ２２に接した状態で、面スピーカ２２の底面bt（図３参照）と重なり合う。
【００２７】
図３は、図１に示した実施形態における面スピーカパネル９の取付構造を示す第２の説明図である。
ネジ部材２５により、枠体２１、面スピーカ２２が、図２に示したパンチングパネル板２３の上端部２３ａにねじ止めされる。
また、パンチングパネル板２３の取付部２３ｄが、下端部２３ｃからの切り起しにより形成され、ここにネジ孔２３ｅが形成されている。ネジ部材３３により、取付孔２１ｇから、枠体２１、面スピーカ２２を経て、パンチングパネル板２３のネジ孔２３ｅにねじ止めされる。その結果、パンチングパネル板２３の下端部２３ｃが面スピーカパネル９の底面となる。
なお、上述したパンチングパネル板２３は、面スピーカ２２を保護し、音を透過するものであればよく、図示しない枠体にネットを張設したものや、合成樹脂製の板材で、複数の線状の透孔（音孔）が形成されたスピーカグリルであってもよい。
【００２８】
上述した面スピーカパネル９（図３）は、その係合突起（弾性変形部２１ｂと係止部２１ｃ、弾性変形部２１ｅと係止部２１ｆ）を、それぞれ、上前板８の取付孔（係着部）８ｃ（図２），８ｄ（図２，図３）に装着する。係止部２１ｃ，２１ｆが取付孔（係着部）８ｃ，８ｄの前面に押し込まれることにより、弾性変形部２１ｂ、２１ｅが撓み、係止部２１ｃ，２１ｆが取付孔８ｃ，８ｄを貫通し、弾性変形部２１ｂ、２１ｅの撓みが若干戻ることにより、係止部２１ｃ，２１ｆが取付孔８ｃ，８ｄの背面の角部に係合固定される。面スピーカパネル９の底面である、パンチングパネル板２３の下端部２３ｃは、上前板８の段差部８ｅに載置される。
このようにして、面スピーカパネル９を上前板８に対し、簡単に取付け固定することができる。さらに、面スピーカ２２が振動することによる枠体２１のビリツキが上述した弾性変形部２１ｂ、２１ｅの弾性によって発生しない効果を有する。
【００２９】
ここで、係止部２１ｃ，２１ｆとは、筐体に取り付けられる側の係合部材を意味し、係着部（取付孔８ｃ，８ｄ）とは、筐体側の係合部材を意味する。上述した取付孔８ｃ，８ｄは係着部の一例であり、係着部は必ずしも取付孔に限られない。
図示の例では、係止部の側に弾性変形部２１ｂ，２１ｅがあって、係合突起を構成する。しかし、係着部の側に弾性変形部があってもよい。例えば、上前板８の側に、上述した係合突起（弾性変形部２１ｂと係止部２１ｃ、弾性変形部２１ｅと係止部２１ｆ）と同様な形状の係合突起（弾性変形部と係止部）を有し、枠体２１の側には、上述した取付孔８ｃ，８ｄと同様な形状の取付孔を有する場合である。また、係止部の側と係着部の側の両方に弾性変形部があってよい。
【００３０】
面スピーカパネル９の背面と上側面とが接する辺において、図示の例では面スピーカ２２の端部上の鍵配列方向に防振部材３１が貼設される。一方、面スピーカパネル９の背面と底面とが接する辺において、図示の例では面スピーカ２２の端部上の鍵配列方向に防振部材３２が貼設されている。これらの防振部材３１，３２は、例えば防振ゴム部材であり、面スピーカパネル９が上前板８に装着された後において、両者の隙間に介在し、面スピーカパネル９が不用意に振動したり、外れたりしないようにする。
【００３１】
上述した面スピーカパネル９は取り外すこともできる。
図２において、上述した係止部２１ｃと取付孔８ｃとの係合箇所の近傍（係合に作用できる程度の近傍)において、線状孔２ａと線状板２ｃとの間に僅かな隙間が形成されている。ここに、マイナスドライバ２４のような細長い工具を差し込み、係合突起の係止部２１ｃを押し下げて、弾性変形部２１ｂを撓ませ、係止部２１ｃと取付孔８ｃとの係合を解除し、係止部２１ｃを取付孔８ｃから引き抜く。
その後、面スピーカパネル９を上方に浮かすことにより、下の係合突起の係止部２１ｆと取付孔８ｄとの係合が解除される。このようにして、枠体２１の係合突起を取付孔８ｃ，８ｄから離脱させ、面スピーカパネル９を上前板８から外すことができる。
面スピーカパネル９には、鍵配列方向の複数箇所に係合箇所が設けられる。そのため、上述した線状孔２ａが近傍にない係合箇所においては、工具を差し込む透孔を天板２に形成しておく（図示省略）。
【００３２】
上述した面スピーカ２２は、モノラル信号の供給を受けてよい。しかし、面スピーカ２２は、鍵配列方向に長いため、左チャンネル用の面スピーカ２２Lと右チャンネル用の面スピーカ２２Rとに分けた面スピーカパネル９として上前板８に装着したり、面スピーカパネル９自体を左チャンネル用、右チャンネル用に分けて、上前板８に装着したりしてもよい。その際、図１（ａ）に示した左側領域にあるコーンスピーカ１０を、上前部５の右側領域にも配設し、これらをステレオスピーカとしてもよい。
【００３３】
上述した説明において、面スピーカ２２への駆動電流の供給は、面スピーカ２２から引き出された入力線と、電子回路ブロック１３にある駆動回路の出力線とを、プラグ，ソケット等のコネクタを用いて電気的に接続すればよい。
その際、先に説明した係合突起（弾性変形部２１ｂ，２１ｅ、係止部２１ｃ，２１ｆ）とは別に、枠体２１に電気接続用の複数のプラグを形成しておき、先に説明した取付孔（係着部）８ｃ，８ｄとは別に、上前板（支持体）８に電気接続用の複数のソケットを形成しておいてもよい。この場合、係合突起と取付孔とが機械的に係合している状態において、複数のプラグの各電気的接触子と複数のソケットの各電気的接触子とが互いに接触して電気的に接続される。
【００３４】
あるいは、次に説明するように、上述した係合突起（弾性変形部２１ｂ，係止部２１ｃ、弾性変形部２１ｅ，係止部２１ｆ）、及び、取付孔８ｃ，８ｄに、それぞれ電気的接触部材を設け、係合突起と取付孔とを、機械的な結合部材とするに加えて、電気的コネクタ（プラグ及びソケット）とすることもできる。
面スピーカ２２の電極は３個である。従って、面スピーカパネル９は、モノラルの場合少なくとも３箇所、ステレオの場合、少なくとも６箇所の係合突起をプラグとする。
【００３５】
図４、図５は、図１に示した実施形態における面スピーカ取付構造の他の具体例を示す説明図である。図中、図１〜図３と同様の部分には同じ符号を付している。
図４（ａ）は、図３に示した枠体２１の上部の部分拡大図である。面スピーカ２２の図示は省略した。図４（ｂ）は、図４（ａ）の垂直断面図であり、垂直断面をX方向に見たものであり、併せて、面スピーカ２２、天板２、上前板８の一部分を記載している。
【００３６】
図４（ａ）において、係合突起（弾性変形部２１ｂ，係止部２１ｃ）がプラグとなる。係止部２１ｃの傾斜面２１ｈに貫通孔２１ｉが形成され、弾性変形部２１ｂの溝２１ｊに連通する。溝２１ｊは、枠体２１の上端面に形成された浅溝２１ｋに連通する。
４１は導電性弾性部材であって、山部４１ａ，４１ｃ、４１ｅと、これらの間の谷部４１ｂ，４１ｄという折れ曲がりのある平板部材である。山部４１ａ，４１ｃは三角状、谷部４１ｂ，４１ｄは平坦、山部４１ｅは湾曲している。
この導電性弾性部材４１は、その山部４１ｃが溝２１ｊに挿入され、山部４１ｅが浅溝２１ｋに嵌め込まれ、山部４１ａが貫通孔２１ｉに圧入固定される。谷部４１ｂ，４１ｄは、溝２１ｊの底面との間に隙間を置く。
【００３７】
一方、図４（ｂ）に示した上前板８の取付孔８ｃをソケットとする。この取付孔８ｃの背面側の上角部に導電性部材４２を設ける。この導電性部材４２は、直角に２度曲げられ、天板２の裏面において、ネジ部材４３により天板２に固定される。
上述した係合突起の係止部２１ｃが取付孔８ｃと係合したとき、導電性弾性部材４１の第２の山部４１ｃは、導電性部材４２に接触し、その弾性力により導電性部材４２を押圧する。その結果、枠体２１の上部が上前板８に係合するとき、上述した１つの係合部において、１対の接続端子が電気的に接続される。
導電性弾性部材４１の山部４１ｅは、面スピーカ２２の接続端子２２ａと面接触することにより、面スピーカ２２の１つの電極に接続される。一方、導電性部材４２は、図示しない接続線により、図１（ｂ）に示した電子回路ブロック１３に接続される。
【００３８】
なお、弾性変形部２１ｂは、係合中も弾性力を残しており、弾性変形部２１ｂの上面（溝２１ｊを有する側）が取付孔８ｃの上面（天板２の下面）を押圧している。
そこで、係合中に、弾性変形部２１ｂの上面が取付孔８ｃの上面に接触しないように設計し、導電性弾性部材４１が導電性部材４２を押圧するのみの状態とすることもできる。この場合、弾性変形部２１ｂと導電性弾性部材４１の両弾性力により、係合状態が保持される。
また、導電性弾性部材４１を、弾性変形の無視できる単なる導電性部材に置き換え、置き換えたものが、弾性変形部２１ｂの弾性のみにより、導電性部材４２に接触して押圧する状態とすることもできる。
【００３９】
図５（ａ）は、図３に示した枠体２１の下部の部分拡大図である。面スピーカ２２の図示は省略する。後述する導電性弾性部材５１の図示を明確にするため、係合突起（弾性変形部２１ｅ，係止部２１ｆ）の外形線を一点鎖線で図示し、この係合突起に隠れている導電性弾性部材５１の外形線を実線で図示している。
図５（ｂ）は、図５（ａ）の垂直断面図であり、垂直断面をX方向に見たものであり、併せて、面スピーカ２２、上前板８の一部分を記載している。
図中、図３と同様な部分には同じ符号を付している。
【００４０】
図５（ａ）において、係合突起（弾性変形部２１ｅ，係止部２１ｆ）がプラグとなる。係止部２１ｆの傾斜面２１Lに貫通孔２１ｍが形成され、弾性変形部２１ｅの溝２１ｎに連通する。溝２１ｎは、枠体２１の貫通孔に連通し、枠体２１の前面に開口部２１ｏが形成される。
５１は導電性弾性部材であって、接触構造部と端子部構造部を有する。接触構造部は、谷部５１ａ，５１ｃと、谷部５１ａ，５１ｃの間の山部５１ｂと、谷部５１ｃに続く山部５１ｄからなる。谷部５１ａ，５１ｃは三角状であり、山部５１ｂ，５１ｄは平坦である。山部５１ｄの端は垂直に折れ曲がり端子部構造に連なる。
端子部構造は、山部５１ｄの幅よりも幅広に形成され、その幅方向の端部５１ｅ，５１ｆは、上述した接触構造部の側に折り曲げられることにより「コ」の字状に形成され、かつ、その幅方向中心部から接触構造部の側に矩形片５１ｇが切起されている。この矩形片５１ｇに、取付孔５１ｈと、その上に係合突起５１ｉとが形成されている。
【００４１】
導電性弾性部材５１は、上述した開口部２１ｏから挿入される。谷部５１ａ、山部５１ｄ、谷部５１ｃ、山部５１ｂは、弾性変形部２１ｅの溝２１ｎに挿入され、谷部５１ａは、貫通孔２１ｍに圧入固定される。山部５１ｂ，５１ｄは、溝２１ｎの天井面との間に隙間を置く。
端部５１ｅ，５１ｆは、枠体２１の縦溝２１ｐに嵌合し、後述するように、ネジ部材５２を取付孔５１ｈから枠体２１にねじ止めすることにより、導電性弾性部材５１が枠体２１に固定される。
【００４２】
一方、図５（ｂ）に示した上前板８の取付孔８ｄをソケットとする。この取付孔８ｄの背面側の下角部に導電性部材５３を設ける。この導電性部材５３は、直角に曲げられ、上前板８の背面において、ネジ部材５４により固定される。
上述した係合突起の係止部２１ｆが取付孔８ｄと係合したとき、導電性弾性部材５１の第２の谷部５１ｃは、導電性部材５３に接触し、その弾性力により導電性部材５３を押圧する。このようにして、面スピーカパネル９の枠体２１の下部が上前板８に係合するとき、上述した１つの係合部において、１対の接続端子が電気的に接続される。
【００４３】
係合突起の弾性変形部２１ｅは、係合中も弾性力を残しており、弾性変形部２１ｅの下面（溝２１ｎを有する側）が取付孔８ｄの下面を押圧している。
そこで、係合中に、弾性変形部２１ｅの下面が取付孔８ｄの下面に接触しないように設計し、導電性弾性部材５１が導電性部材５３を押圧するのみの状態とすることもできる。この場合、弾性変形部２１ｅと導電性弾性部材５１の両弾性力により、係合状態が保持される。
また、導電性弾性部材５１を、弾性変形の無視できる単なる導電性部材に置き換え、これが、弾性変形部２１ｅの弾性のみにより、導電性部材５３に接触して押圧する状態とすることもできる。
【００４４】
端子部構造において、端部５１ｅ，５１ｆと矩形片５１ｇとの隙間に、面スピーカ２２の接続端子２２ｂが挿入される。接続端子２２ｂには、図５（ａ）に示した取付孔２２ｃと係合孔（係合凹部でもよい）２２ｄとが形成されている。
係合孔２２ｄと係合突起５１ｉとを位置合わせすることにより、取付孔２２ｃと取付孔５１ｈとの位置決めが容易になる。ネジ部材５２を、面スピーカ２２、取付孔２２ｃ、取付孔５１ｈから枠体２１にねじ止めすることにより、導電性弾性部材５１が枠体２１に固定されると同時に、面スピーカ２２の接続端子２２ｂが導電性弾性部材５１の矩形片５１ｇと接触することにより、導電性弾性部材５１が面スピーカ２２の１つの電極に接続される。
一方、導電性部材５３は、図示しない接続線により、図１（ｂ）に示した電子回路ブロック１３に接続される。
【００４５】
図６は、図１に示した実施形態における面スピーカ２２の一具体例である、柔軟性を有する面スピーカ６０の構造図である。
図６（ａ）は面スピーカ６０の積層構造を開いて見せた模式図、図６（ｂ）は面スピーカ６０の部分平面図、図６（ｃ）は面スピーカ６０の部分断面図、図６（ｄ）は面スピーカ６０の他の例を示す部分断面図である。
【００４６】
まず、積層構造の主要部を説明する。
図６（ａ）〜図６（ｃ）において、音響透過性を有する第１の固定電極シート６２と音響透過性を有する第２の固定電極シート６６との間に、音響透過性を有する第1の絶縁性シート６３と音響透過性を有する第２の絶縁性シート６５とを介して、特に薄くて柔軟性を有する振動電極シート（振動膜）６４が積層配置されている。
第１の絶縁性シート６３、第２の絶縁性シート６５は、薄くて柔軟性がある緩衝材（クッション材）である。また、上述した第１の固定電極シート６２、第２の固定電極シート６６も、薄くて柔軟性がある。
振動電極シート６４の前面から出力された音は、第1の絶縁性シート６３、第１の固定電極シート６２を透過し、この静電型スピーカの前面から放出されるとともに、振動電極シート６４の背面から出力された音は、第２の絶縁性シート６５、第２の固定電極シート６６を透過し、この静電型スピーカの背面から放出される。
【００４７】
６１は音響透過性を有する第３の絶縁性シート、６７は音響透過性を有する第４の絶縁性シートであって、これらは、静電型スピーカの背面を保護したり防水したりするとともに、感電を防止するためのカバーでもある。これらも柔軟性がある。
従って、この面スピーカ６０は、全体としても、柔軟性のある薄型フレキシブル（flexible）静電型スピーカである。
上述した振動電極シート６４を除き、他の第１の固定電極シート６２、第２の固定電極シート６６、第1の絶縁性シート６３、第２の絶縁性シート６５、第３の絶縁性シート６１、第４の絶縁性シート６７は、通気性を有している。なお、第３の絶縁性シート６１、第４の絶縁性シート６７は、省略可能である。
【００４８】
６８ａ〜６８ｅ，６９ａ〜６９ｅは、振動電極シート６４を、第1の絶縁性シート６３、第２の絶縁性シート６５により、部分的に支持するための接着層であって、その幅は狭く、例えば、4〜10［mm］であり、柔軟性があり、その厚みは薄く、例えば、0.1〜0.5［mm］である。図示の例において接着層はテープ状であり、具体的には両面接着テープを使用している。
振動電極シート６４は、接着層６８ａ〜６８ｅ，６９ａ〜６９ｅにより間隔をあけて支持される。
この接着層６８ａ〜６８ｅ，６９ａ〜６９ｅにより、振動電極シート６４は、接着層６８ａ〜６８ｅ，６９ａ〜６９ｅのない領域で、振動電極シート６４に対し、第1の絶縁性シート６３との間、及び、第２の絶縁性シート６５との間が僅かに離間して支持される。
【００４９】
振動電極シート６４、第1の絶縁性シート６３、第２の絶縁性シート６５は柔軟性を有するため、接触していても問題ない。第1の絶縁性シート６３、第２の絶縁性シート６５は、振動電極シート６４を支持するとともに、振動電極シート６４に適度な弾性応力を付与する。
接着層６８ａ〜６８ｅ，６９ａ〜６９ｅは、静電型の面スピーカにとって必須のものではない。しかし、振動電極シート６４は、緩衝作用のある第1の絶縁性シート６３、第２の絶縁性シート６５との間で相互作用を及ぼし合いながら、これらと一体となって振動する。
従って、接着層６８，６９は、スペーサというよりも、振動電極シート６４と第1の絶縁性シート６３、第２の絶縁性シート６５との相互作用を安定させる機能がある。接着層６８，６９は、また、面スピーカ６０の全体を折り曲げたときに、多層状に形成された積層シートの各層が破損しないようにしたり、ずれて皺ができないようにしたりする役目を果たす。
【００５０】
図６（ｃ）において、振動電極シート６４は、接着層６８ａ〜６８ｅにより、第1の絶縁性シート６３に等間隔の第１の支持位置で支持されるとともに、接着層６９ａ〜６９ｅにより、第２の絶縁性シート６５に同じ第１の支持位置で支持される。第１の支持位置の間隔は、1［cm］〜10［cm］とし、試作品では3.6［cm］とした。
図６（ｄ）において、振動電極シート６４は、接着層６８ｆ，６８ｇにより、第１の絶縁性シート６３に等間隔の第１の支持位置で支持されるとともに、接着層６９ｆ，６９ｇにより、第２の絶縁性シート６５に等間隔の第２の支持位置で支持される。第１の支持位置と第２の第１の支持位置とは交互に配置されるので、振動電極シート６４は、交互に支持される。
【００５１】
なお、図６（ｂ），図６（ｃ）に示したように、面スピーカ６０の端部（図示右端部）は、接着層６８ｅ，６９ｅ，６８ｈ，６９ｈで支持することが好ましい。面スピーカ６０の周縁部において、各シートの層間を、接着層６８ｅ，６９ｅ，６８ｈ，６９ｈと同様な接着層（両面接着テープ）で相互に接着したり、接着剤を塗布したりして、層が離れないようにする。面スピーカ６０の周縁部は、縫合したり、合成樹脂でまとめたり、図示しない枠体に取り付けられたりする。
【００５２】
上述した振動電極シート６４は、例えば、ポリエチレンテレフタレート（PET）又はポリプロピレン（PP）等の、合成樹脂薄膜の両面又は片面に、アルミニウム等の導電性を有する金属を蒸着したり、導電性塗料を塗布したりしたものであり、その厚さは数［μm］〜数十［μm］である。
上述した第１の固定電極シート６２、第２の固定電極シート６６は、ポリエチレンテレフタレートの片面又は両面に、アルミニウム等の導電性を有する金属を蒸着したり、導電性塗料を塗布したりして、その厚みを貫通する多数の貫通孔６２ａ，６６ａが形成されたパンチングメタルである。この試作品では、厚さが0.5［mm］である。
第１の固定電極シート６２、第２の固定電極シート６６は、パンチングメタルに代えて、金網を用いてもよいし、不織布にアルミニウム蒸着をしたものを用いてもよい。後者の場合、第３の絶縁性シート６１と第１の固定電極シート６２とを一体化し、第４の絶縁性シート６７と第２の固定電極シート６６とを一体化することができる。
上述した第１の絶縁性シート６３、第２の絶縁性シート６５は、例えば、発泡合成樹脂や不織布である。
上述した第３の絶縁性シート６１、第４の絶縁性シート６７も、例えば、発泡合成樹脂や不織布であるが、材料選択の自由度が大きい。
【００５３】
図７は、図１に示した実施形態における面スピーカ２２の他の例である、柔軟性を有する静電型の面スピーカ７０を示す部分平面図である。
先の図６においては、接着層６８ａ〜６８ｅ，６９ａ〜６９ｅを図示縦方向に並べて互いに平行配置していた。図７においては、加えて、接着層７１ａ，７１ｂ，７１ｃを、図示横方向に並べて互いに平行配置したものである。
図示の接着層７１ａ，７１ｂは、接着層６８ａ〜６８ｄ，６９ａ〜６９ｄと同じ間隔で配置されている。
上述した縦方向、横方向に配置する２種の接着層に代えて、１枚の格子状接着層を用いれば、接着層の厚みが均一になる。
この面スピーカ７０の積層断面構造は、接着層の配置を除けば図６（ｃ）、図６（ｄ）と同じであるので図示を省略する。
【００５４】
図６、図７に示した例では、接着層６８ａ〜６８ｈ、６９ａ〜６９ｈ、７１ａ〜７１ｃにより、振動電極シート６４と第1の絶縁性シート６３、振動電極シート６４と第２の絶縁性シート６５が接着されていた。
これらに加えて、第３の絶縁性シート６１と第１の固定電極シート６２との層間、第１の固定電極シート６２と第1の絶縁性シート６３との層間、第２の絶縁性シート６５と第２の固定電極シート６６との層間、第２の固定電極シート６６と第４の絶縁性シート６７との層間のうち、任意の層間を、図示しない接着層（両面接着テープ）で接着してもよい。特に、面スピーカ４０の周縁部においては、全ての層間を接着層（両面接着テープ）で接着してもよい。
【００５５】
このようにすることにより、積層体としての一体性が増し、層間に隙間ができたり、層間がずれたりしない。図示しない両面接着テープによる接着位置は、図６（ｃ），図６（ｄ）、図７に示す接着層６８ａ〜６８ｈ、６９ａ〜６９ｈ、７１ａ〜７１ｃの支持位置と一致させることが、音響透過率を下げないようにする点で望ましい。
しかし、層間によって、接着位置を異ならせてもよい。また、層間によって、縦方向に並べる１次元平行配置と、これに直交する横方向に並べる１次元平行配置の選択を変えたりすることができる。
【００５６】
図８は、図１に示した実施形態における面スピーカ２２のさらに他の例である、柔軟性を有する静電型の面スピーカ８０Ａ，８０Ｂを示す部分平面図である。
この具体例は、図６に示した積層断面構造を有した面スピーカ６０を1ユニットとし、複数のユニットを、間隔をあけて配置したものを、１つの面スピーカ８０Ａ又は８０Ｂとして形成したものである。
すなわち、面スピーカ８０Ａ，８０Ｂは、複数のユニットと、これら複数のユニットのうち隣接するユニット同士を連結する連接部に区分された積層シートである。
図８（ａ）においては、複数の面スピーカユニットを１次元配置し、図８（ｂ）においては、複数の面スピーカユニットを２次元配置（縦横方向）している。
【００５７】
図８（ａ）において、静電型の面スピーカユニット８１1〜８１5は、図６（ｃ）又は図６（ｄ）に示した積層断面構造を有し、面スピーカ８０Ａの振動面となる。これに対し、スピーカユニットの連接部８２の領域においては、図６（ｃ）又は図６（ｄ）に示した導電層（第１の固定電極シート６２、振動電極シート６４、第２の固定電極シート６６）がなく、絶縁層（第３の絶縁性シート６１、第1の絶縁性シート６３、第２の絶縁性シート６５、第４の絶縁性シート６７）のみを残しており、これらが連接部８２を構成する。
【００５８】
連接部８２の領域においては、さらに、第1の絶縁性シート６３、第２の絶縁性シート６５をなくしてもよい。この場合、まず、各面スピーカユニット８１1〜８１5として、それぞれ、第１の固定電極シート６２、第1の絶縁性シート６３、振動電極シート６４、第２の絶縁性シート６５、第２の固定電極シート６６、及び、接着層６８ａ〜６８ｈ、６９ａ〜６９ｈ、７１ａ〜７１ｃの積層構造を予め作成しておき、これらの面スピーカユニット８１1〜８１5の上面と下面とを、第３の絶縁性シート６１、第４の絶縁性シート６７で覆うことにより、面スピーカ８０Ａを形成することができる。この場合、第３の絶縁性シート６１、第４の絶縁性シート６７が連接部８２を構成する。
このような工程で製造すれば、箇々の面スピーカユニット８１1〜８１5の面積が小さくても、広い面積の面スピーカ８０Ａ，８０Ｂが得られる。
【００５９】
連接部８２においては、第１，第２の固定電極シート６２，６６の層及び振動電極シート６４の層が存在しないので、この連接部８２で、折り曲げたり折り畳んだりしても、電極シートが傷まない。
ここで、連接部８２に存在する絶縁性シートの層は、隣接するユニットにおける同じ層から連続して存在する。言い換えれば、これらの層は、全てのユニット及び連接部に共通の連続した層である。そのため、連接部を設けるために、別の連結部材を設けたり、この別の連結部材を隣接するユニットと縫合や接着等により結合したりする工程が不要である。
【００６０】
図８（ｂ）において、各面スピーカユニット８３1〜８３4は、図６（ａ）に示した面スピーカユニット８１1〜８１5と同様の積層構造を有し、面スピーカ８０Ｂの振動面となる。この具体例では、面スピーカユニット８３1〜８３4は、横方向が連接部８４ａにより連接され、縦方向が連接部８４ｂにより連接されている。連接部８４ａ，８４ｂにおける積層構造は、図８（ａ）に示した連接部８２と同様である。
さらに、静電型スピーカユニット８３1〜８３4の周縁部８４ｃも、図示しない枠体を取り付ける領域とするために、連接部８４ａ，８４ｂと同じく、導電層のない積層構造にしている。
【００６１】
上述した図８（ａ）の面スピーカユニット８１1〜８１5、図８（ｂ）の面スピーカユニット８３1〜８３4は、各ユニットの各電極にリード線を接続し、これらのリード線をユニット毎に独立して駆動回路に接続する。又は、連接部８２、８４ａ，８４ｂにおいて、隣接するユニットの対応する電極同士を短いリード線でつなぎ、各ユニットの各電極を共通のリード線で駆動回路に接続してもよい。
【００６２】
図９は、図６に示した柔軟性を有する静電型の面スピーカの第４の具体例を示す平面図である。
図９（ａ）は面スピーカ９０の背面側を示す平面図、図９（ｂ）は図９（ａ）に面スピーカ内の導電性接着層の配置を加えた背面側を示す平面図、図９（ｃ），（ｄ），（ｅ）は、それぞれ、図９（ｂ）の矢視X-X，Y-Y，Z-Z方向を見た断面図である。図中、図６と同様な部分には同じ符号を付している。接着層６８ａ，６９ａ，６８ｂ，６９ｂ等は、図６と同様に、図示縦方向に延設されている。
図９（ａ）に示すように、この面スピーカ９０は、ステレオ用に、左右に２つの面スピーカユニット９０L，９０Rが配置されたものである。左右対称構造であるため、左右の構成には同じ符号を付し、右側の面スピーカユニット９０Rついてのみ説明する。背面側の図であるので面スピーカユニット９０Rを左側に図示している。面スピーカユニット９０L，９０Rの間の領域が、図８に示した連接部８２と同様の連接部９０Cであり、面スピーカユニット９０L，９０Rを合わせたものの周縁部は、図示しない枠体を取り付ける領域となる。
【００６３】
図９（ｂ）、図９（ｃ）に示す９１は、帯状の第１の導電性接着層であり、第１の固定電極シート６２と第３の絶縁性シート６１との両者の層間にあって、面スピーカ９０の上縁の左半分に延設され、両者を接着する。導電性接着層は、導電性粘着剤自体や、金属箔テープの両面に導電性粘着剤を塗布したもので実現される。
図９（ａ）、図９（ｂ）、図９（ｄ）に示す９２は、第１のフレキシブルプリント基板（Flexible Printed Circuit Board、以下FPCという）であり、絶縁フィルムの裏面（図示では上面となる）に導体箔９２ｄが被着されたものである。このFPCに代えて銅箔テープを用いることもできる。
FPC９２（図９（ｄ））は、第１の導電性接着層９１（図９（ｃ））と同一の層間にあって、面スピーカユニット９０Rの上縁の一端部から左縁を縦方向に延設される。第１の導電性接着層９１の一端部９１ａと第１のFPC９２の一端部９２ａにおける導体箔９２ｄとは、面スピーカユニット９０Rの上縁の一部において重なり合い接着される。第１のFPC９２の他端部は、下方向に延び、第２の固定電極シート６２から第４の絶縁性シート６７までを突き抜けて、第１の接続端子９２ｂとなる。９２ｃはプラグの端子に接続するための取付孔である。
【００６４】
図９（ｂ）、図９（ｄ）に示す９３は、帯状の第２の導電性接着層であり、第１の絶縁性シート６３と振動電極シート６４との両者の層間にあって、面スピーカユニット９０Rの左縁（第１のFPC９２の右側）を縦方向に延設され下縁の一部に至り、両者を接着する。
９４は第２のFPCであり、絶縁フィルムの裏面（図示上面）に導体箔（図示せず）が被着されたものである。第２のFPC９４は、第２の導電性接着層９３と同一の層間にあって、面スピーカユニット９０Rの下縁の一部に設けられる。第２の導電性接着層９３の一端部９３ａと第２のFPC９４の一端部９４ａにおける導体箔とは、面スピーカユニット９０Rの下縁の一部において重なり合い接着される。第２のFPC９４の他端部は、振動電極シート６４から第４の絶縁性シート６７までを突き抜けて第２の接続端子９４ｂとなる。
第２の接続端子９４ｂは端部において下方向に延設され、ここに、取付孔９４ｃが形成されている。ここで、第２のFPC９４がこれらの層を突き抜ける際に、第２の固定電極シート６６と短絡しないように、例えば、第２のFPC９４の導体箔に絶縁被覆をしておく。
【００６５】
９５は帯状の第３の導電性接着層であり、第４の絶縁性シート６５と第２の固定電極シート６６との両者の層間にあって、面スピーカユニット９０Rの右縁から縦方向に延設され下縁の一部に至り、両者を接着する。
９６は第３のFPCであり、第３の導電性接着層９５と同じ層間にあって、面スピーカユニット９０Rの下縁に設けられる。図９（ｅ）に示されるように、第３の導電性接着層９５の一端部９５ａと第３のFPC９６の一端部９６ａにおける導体箔９６ｄは、面スピーカユニット９０Rの下縁の一部において重なり合い接着される。
第３のFPC９６の他端部は、第２の固定電極シート６６と第４の絶縁性シート６７を突き抜けて第３の接続端子９６ｂとなる。第３の接続端子９６ｂは端部において下方向に延設され、ここに、取付孔９６ｃが形成されている。
【００６６】
これらの第１〜第３の導電性接着層９１，９３，９５、及び、第１〜第３のFPC９２，９４，９６は、面スピーカユニット９０Rの振動を妨げないように、その周縁部に配置されている。第１〜第３の接続端子９２ｂ，９４ｂ，９６ｂは、いずれも、面スピーカユニット９０Rの下縁部に等間隔で配置されている。
図５に示した係合突起（係止部２１ｆ，弾性変形部２１ｅ）及び取付孔８ｄは枠体２１の下部における６箇所に設けられる。第１〜第３の接続端子９２ｂ，９４ｂ，９６ｂは、いずれも、導電性弾性部材５１の端部５１ｅ，５１ｆと矩形片５１ｇとの隙間に挿入される接続端子２２ｂとなり、図５に示した導電性弾性部材５１の矩形片５１ｇにねじ止めされる。
なお、図９に示した面スピーカ９０は、枠体２１の上部の係合突起としては、図３に示した係合突起（弾性変形部２１ｂ、係止部２１ｃ）を使用し、図４に示したプラグを兼ねる係合突起を使用する必要はない。
【００６７】
図１０は、図１に示した実施形態における電子鍵盤楽器の機能ブロック図である。
図1に示した鍵盤部４における各白鍵，黒鍵の操作は、検出部１０１により検出され、検出信号が制御部１０２に出力される。制御部１０２は、演奏データを音源部１０３に出力する。この演奏データには、押鍵及び離鍵のタイミング、押鍵又は離鍵された鍵に対応するノートナンバ（音高）、ベロシティ（押鍵速度）、アフタタッチ量等のデータが含まれている。上述した制御部１０２は、機器組み込みプログラムをCPUに実行させることにより実現される。
【００６８】
図１に示した電子鍵盤楽器には、操作パネル６ａ，６ｂ，６ｃが設置され、これらに複数の操作子（ボタン、ノブ）１０４が配置されている。操作子１０４としては、例えば、楽器音色等の設定操作用スイッチや、自動演奏のための選曲、再生開始や再生停止等を制御するスイッチがある。
操作子１０４の操作は、検出部１０１により検出され、制御部１０２に出力され、制御部１０２では、各操作子に割り付けられた機能を、電子鍵盤楽器に設定する。音源部１０３に対する設定の場合は、音源部１０３に音源設定データを出力する。
【００６９】
上述した電子鍵盤楽器は、自動演奏部１０５と曲データ記憶部１０６が内蔵されている。自動演奏部１０５は、操作子の操作により、曲データ記憶部１０６に記憶された曲を読出し、MIDI（Musical Instrument Digital Interface）形式の演奏データを制御部１０２に出力する。上述した自動演奏部１０５も、機器組み込みプログラムをCPUに実行させることにより実現される。
MIDIインタフェース１０７は、パーソナルコンピュータや他の電子楽器から供給されるMIDI形式の演奏データを、下後板３ｃに設けられた端子から入力し、制御部１０２に出力する。
【００７０】
音源部１０３は、制御部１０２から入力された演奏データに応じて、音色等の音源設定や、押鍵操作に応じた音高と強さのステレオ（L，Rの2チャンネル）の楽音信号を生成し、増幅器１０８L，１０８R，１１０L、１１１L、及び、１１１Rに出力する。図示の音源部１０３は、１つの楽音の発生用に、ステレオ用の左ソース、右ソースを使用する。これらの音源ソースは、図示しない音源波形メモリに記憶されている。
また、音源部１０３は、モノラルソースを使用するとし、操作された鍵の帯域等に応じて、左右の音量比を制御（音像定位制御）するものでもよい。
【００７１】
増幅器１０８L，１０８Rの出力は、それぞれ、ヘッドフォン用の外部出力端子（ヘッドフォンジャック）１０９L，１０９Rに出力される。増幅器１１０Lの出力は、スイッチ１１８ａを介して図1に示したコーンスピーカ１０に出力される。図１に示した左側領域にあるコーンスピーカ１０を、上前部５の右側領域にも配設した場合、音源部１０３のRチャンネルの出力を、図示しない増幅器（１１０R）と図示しないスイッチ（１１８ｄ）とを介して、右側領域に配設したコーンスピーカに出力する。
増幅器１１１L、１１１Rの出力は、それぞれ、スイッチ１１８ｂ，１１８ｃを介して昇圧トランス１１２L，１１２Rの１次コイルに出力される。昇圧トランス１１２L，１１２Rの２次コイルには、図1に示した面スピーカパネル９を構成する柔軟性を有する面スピーカ２２が接続される。
図示の例では、面スピーカ２２として、図９に示した左チャンネル用の面スピーカユニット９０Lと右チャンネル用の面スピーカユニット９０Rとに分かれた面スピーカ９０を使用する。
昇圧トランス１１２Lの２次コイルは、中点タップCTを有し、中点タップCTには、高圧のバイアス直流電源１１３Lと高抵抗の抵抗器１１４Lとの直列回路が接続されている。上述した２次コイルの両端が端子１１５L，１１６L、抵抗器１１４Lの他端が端子１１７Lとなる。
【００７２】
端子１１５L，１１６L，１１７Lとして、それぞれ、図５を参照して説明した機械的結合構造（係止部２１ｆ、弾性変形部２１ｅ、取付孔８ｄ）が電気的接続のコネクタ（導電性弾性部材５１、導電性部材５３）を兼ねているものを使用する。
端子１１５Lは、第１の導電性薄板９２、導電性接着層９１を経由して、図６に示した第１の固定電極シート６２に接続される。同様に、端子１１６Lは第２の固定電極シート６６に接続され、端子１１６Lは振動電極シート６４に接続される。
【００７３】
このように、端子１１５L〜１１７Lの１個の端子（１回路）毎に、互いに独立かつ離間した６個のコネクタ（プラグ、ソケット）を使用すれば、プラグとソケットとの接続作業の際に、作業者の指が出力線の複数の回路に同時に触れる恐れが少ない。
勿論、面スピーカパネルが支持体に取り付けられている場合に限り出力線に高圧が印加されるようにするのが常である。しかし、接続作業時に、万が一、出力線間に高電圧が出力されていたとしても、接続作業者の感電を防止できる。
【００７４】
面スピーカユニット９０Lの端子１１５L，１１６L，１１７Lは、それぞれ、３個の端子（３回路）を有する共通のコネクタ（プラグ、ソケット）であってもよい。また、端子１１５R，１１６R，１１７Rを含めて、面スピーカユニット９０L，９０Rに共通の６個の端子（６回路）を有する共通の１個のコネクタを用いてもよい。
【００７５】
上述したスイッチ１１８ａ〜１１８ｃ（，１１８ｄ）は連動スイッチ１１８であり、通常はオンとなっている。ユーザは、この連動スイッチ１１８を手動でオンオフする。または、ヘッドフォン用の外部出力端子（ヘッドフォンジャック）１０９L，１０９Rにユーザがヘッドフォンプラグを差し込めば、自動的に連動スイッチ１１８がオフになり、ヘッドフォンプラグを抜けば、自動的に連動スイッチ１１８がオンになるようにすることもできる。
連動スイッチ１１８をオフにすると、全てのスイッチ１１８ａ〜１１８ｃ（，１１８ｄ）がオフとなるので、コーンスピーカ１０、面スピーカユニット９０L，９０Rは音を出力しない。
【００７６】
集合住宅の一室において、一人で夜などに図1に示した電子鍵盤楽器で練習する場合、図１０に示した連動スイッチ１１８をオフにし、ヘッドフォン用の外部出力端子１０９L，１０９Rを、図１３を参照して後述する面スピーカパネル１７１のような、外付けの静電型面スピーカの外部出力端子として使用する。
プッシュプル型の静電型面スピーカの入力端子は片チャンネル当たり３端子であるため、ヘッドフォン用の外部出力端子１０９L，１０９Rとは端子が異なる。そのため、端子−端子変換アダプタを用い、プッシュプル型の静電型面スピーカのプラグを、この変換アダプタのソケットに差し込み、変換アダプタのプラグをヘッドフォン用の外部出力端子１０９L，１０９Rに差し込む。連動スイッチ１１８をオフにすることにより、電子鍵盤楽器の内部スピーカである、コーンスピーカ１０、面スピーカユニット９０L，９０Rは音を出力しない。
【００７７】
この変換アダプタは、例えば、ステレオヘッドフォンのRチャンネル側の２端子が、外付けの静電型面スピーカのRチャンネルの振動電極シート６４と第１の固定電極シート６２とに接続されるようにする。Lチャンネルについても同様である。なお、モノラルの静電型面スピーカである場合、この変換アダプタは、ヘッドフォンの一方のチャンネル、例えば、Rチャンネル側１０９Rの２端子が、外付けの静電型面スピーカの振動電極シート６４と第１の固定電極シート６２とに接続されるようにする。
その結果、外付けの静電型面スピーカは、昇圧トランスやバイアス直流電源なしで駆動されて、小音量で音を出力する。小音量に絞るためにボリュームを操作する必要はない。この外付けの静電型面スピーカを、隣室への伝音性の悪い方向に向けて使用すれば、平面波の直進性が良いことと相俟って、隣室からうるさいと言われない。
【００７８】
なお、連動スイッチ１１８をオフにするとともに、増幅器１１０L，１１１L，１１１Rの電源を切る回路にすれば、省エネルギー回路になる。図示の例では、増幅器１１０L，１１１L，１１１Rの出力側に連動スイッチ１１８ａ〜１１８ｃを挿入したが、増幅器１１０L，１１１L，１１１Rの入力側に連動スイッチ１１８ａ〜１１８ｃを挿入してもよい。その際、連動スイッチ１１８ａ〜１１８ｃをオフとしたとき、ノイズ流入防止のため、増幅器１１０L，１１１L，１１１Rの入力側を接地すればよい。
【００７９】
ここで、静電型面スピーカの動作原理を、振動電極シート６４を電位の基準にとって説明する。バイアス直流電源１１３Lにより、第１の固定電極シート６２及び第２の固定電極シート６６は、E0＝数百［V］の負に帯電し、振動電極シート６４と第１の固定電極シート６２との間、及び、振動電極シート６４と第２の固定電極シート６６との間に、互いに逆方向の静電吸引力が発生する。
この状態で、第１の固定電極シート６２及び第１の固定電極シート６６に、逆位相の楽音信号±e［V］（eはE0より十分に小さい値）が印加されると、第１の固定電極シート６２及び第２の固定電極シート６６は、それぞれ、（E0＋e）［V］、（E0−e）［V］で負に帯電する。その結果、振動電極シート６４と第１の固定電極シート６２との電極間、及び、振動電極シート６４と第２の固定電極シート６６との間の静電吸引力のバランスがくずれ、結果として、楽音信号e［V］に比例した静電吸引力が発生し、振動電極シート６４は、楽音信号e［V］の正負に応じてプッシュプル駆動される。
上述した説明では、面スピーカユニット９０Lについて説明したが、面スピーカユニット９０Rも同様であり、説明を省略する。
【００８０】
上述した説明では、増幅器１１０Lの出力を直接にコーンスピーカ１０へ出力していた。しかし、コーンスピーカ１０の周波数特性に応じた楽音信号を供給するために、低域通過型フィルタ回路を、増幅器１１０Lの入力側又は出力側に挿入することが望ましい。
同様に、増幅器１１１Lの入力側又は出力側に、面スピーカユニット９０Lの周波数特性に応じた楽音信号を昇圧トランス１１２Lに供給するための高域、又は、中高域通過型フィルタ回路を挿入してもよい。
上述したフィルタ回路の特性は、コーンスピーカ１０から出力される音と面スピーカユニット９０Lから出力される音とが、周波数特性上においてバランスするように設計する。
【００８１】
さらにまた、高域再生用のツィータスピーカ（例えば、ドーム型ダイナミックスピーカ）を設け、増幅器１１０Lはツィータスピーカにも楽音信号を分配してもよい。面スピーカユニット９０Lとツィータスピーカとを選択的に切替えていずれか一方を使用するためのスイッチを設けてもよい。
図示を省略したが、音源部１０３に、面スピーカユニット９０L、９０Rに専用のソース（L,Rの２系統）が用意されていてもよい。この場合、この専用のソースに基づく楽音信号を、増幅器１１１L，１１１Rで増幅し、スイッチ１１８ｂ，１１８ｃを介して昇圧トランス１１２L，１１２Rに供給する。
上述した面スピーカ９０を、左右のチャンネルに分けない場合、音源部１０３からモノラル信号の供給を受けて、増幅し、スイッチ１１８ｂを介して昇圧トランスに出力する。あるいは、音源部１０３のステレオ出力を混合する混合部を設け、混合部の出力を増幅しスイッチ１１８ｂを介して昇圧トランスに出力する。
【００８２】
図１１（ａ）は、本願発明の第２の実施形態である、外付け面スピーカパネル１３７を備えた電子鍵盤楽器１２０の外観図である。この電子鍵盤楽器１２０はアップライトピアノ型である。図１１（ｂ）は第２の実施形態の変形例である。
図中、演奏者から見て右側において、１２１は脇側面板（側面部）、１２２は側面板（側面部）、１２３は前脚、１２４は前脚１２３と側面板１２２とを接続するステーである。同様の構造が図示左側にもあり、同じ符号を付している。
左右の脇側面板１２１の間に、鍵盤部が配置されているが、鍵盤蓋１２５が閉じているので見えない。図示の鍵盤蓋１２５は、２枚折れタイプである。演奏時に、鍵盤蓋８６は後述する上前板８８の下部から楽器本体部の奥に収納される。
【００８３】
鍵盤部の演奏者側の前面は口棒１２６であり、鍵盤部の底面は、図示されない棚板である。鍵盤部の奥行き側の上部は上前板１２７であり、その中央に譜面受１２８が設けられている。上前板１２７、左右の側面板１２２、及び、図示されない背面板の上部に天板１２９が掛け渡され、その中央に譜面板１３０（図示の状態は倒れた状態）が設けられている。
足下にペダルユニット１３１が設けられ、その中央に図示されないペダルが収容され、演奏者側に突き出ている。ペダルユニット１３１から、この上の棚板までにおいて、下前板１３２が設けられている。
【００８４】
上述した脇側面板１２１、側面板１２２、天板１２９、棚板（底面部）口棒１２６、上前板１２７、下前板１３２、背面板が楽器筐体となる。これに、鍵盤部、内部空間を有するものが電子鍵盤楽器の楽器本体部である。この楽器本体部に、前脚１２３、ステー１２４、ペダルユニット１３１、及び、面スピーカパネル１３７を加えたものが電子鍵盤楽器となる。
楽器本体部は、鍵盤部に対するユーザの鍵操作により楽音信号を生成する楽音信号生成部を内蔵する。
【００８５】
コーンスピーカ１３３，１３４は、上前板１２７をバッフル板として、その左右領域に分かれて設けられている。上前板１２７の表面には、内部空間を保護するが、コーンスピーカ１３３，１３４の前面開口部から出力される音は透過させるパンチングメタル板、ネット、又は、スピーカグリルが設けられる（図示省略）。
コーンスピーカ１３３，１３４には、ステレオの駆動信号を供給する。右側のコーンスピーカ１３４をなくして、左側のコーンスピーカだけにしてもよい。コーンスピーカ１３３，１３４は、上前板１２７に設ける場合に限らず、鍵盤部直下の棚板や下前板１３２にスピーカの前面開口部を下向きに配置してもよい。
面スピーカパネル１３７は、電子鍵盤楽器１２０の筐体に対し、独立して設置される外付けのものである。口棒１２６には、図示の例では、３箇所において、面スピーカパネル１３７を取り付けるための、例えば、フック、孔、溝などの被取付部（複数の係着部）１３５が設けられている。
【００８６】
面スピーカパネル１３７は、面スピーカ１３８が、その周縁部を枠体１３９で支持されたものである。枠体１３９は、木や硬質の合成樹脂のように剛性のあるものであっても、軟質の剛性樹脂のように、面スピーカ１３８と柔軟性がさほど変わらないものを採用してもよい。
枠体１３９の図示上縁部において、突起片、貫通孔、リング等の取付部品（係止部）１４０が固着されており、先に説明した被取付部１３５に掛け止め（係合）することにより、面スピーカパネル１３７が楽器本体部に取り付けられる。
【００８７】
口棒１２６の左端領域には、ソケット（第２の出力端子）１３６が設けられている。これは、面スピーカパネル１３７のための専用端子である。面スピーカ１３８を駆動するための駆動信号を電子鍵盤楽器１２０の外部に出力する。このソケット１３６は、図１０における内部回路の端子１１５L，１１６L，１１７L、１１５R，１１６R，１１７Rに対応する外部出力端子である。
面スピーカパネル１３７の枠体１３９に、コード取出部１４１が設けられ、ここから入力コード１４２が引き出される。入力コード１４２は、面スピーカ１３８の固定電極、可動電極に接続されたものであって、先端にプラグ１４３を備えている。このプラグ１４３を、ソケット１３６に差し込むと、面スピーカパネル１３７に駆動信号が供給され、面スピーカ１３８は、楽音信号生成部から出力される楽音信号に応じた音を出力する。
【００８８】
一方、口棒１２６の右領域において、ヘッドフォン端子（第１の出力端子）１４４が設けられている。このヘッドフォン端子１４４は、楽音信号を増幅し外部に出力する比較的低インピーダンスであってバイアス電圧が印加されていない出力端子であって、図１０における、ヘッドフォン用の外部出力端子１７９L，１７９Rに対応する。
楽音信号を増幅し外部に出力する従来の出力端子としては、この他、モニタースピーカに楽音信号を供給する出力端子（第１の出力端子）、外部アンプに楽音信号を供給する出力端子等（第１の出力端子）があり、これらは、図示しない背面板に設けられる。
【００８９】
図１１（ａ）においては、面スピーカパネル１３７の側に、入力コード１４２とプラグ１４３を備えていた。これに対し、図１１（ｂ）に示す変形例においては、電子鍵盤楽器１２０の側に、出力コード１４７とプラグ１４８を備えたものである。これに応じて面スピーカパネル１３７には、プラグ１４８に結合するソケットを備える。口棒１２６に凹部を形成し、これを収納箱１４５とする。面スピーカパネル１３７を取り外して電子鍵盤楽器１２０を使用する際、ユーザは、出力コード１４７とプラグ１４８とを、この収納箱１４５に収容し、溝１４５ａ上を摺動する引き戸式の蓋板１４６を閉じる。出力コード１４７は、収納箱１４５の内壁から引き出されている。蓋板１４６には取っ手１４６ａとなる窪みを設けてある。その結果、出力コード１４７とプラグ１４８により電子鍵盤楽器１２０の美観が損なわれることがない。
【００９０】
図１０を参照して説明したように、ヘッドフォン用の外部出力端子１０９L，１０９Rを、面スピーカパネル１３７のような外付けの静電型面スピーカの外部出力端子として使用できる。
面スピーカパネル１３７のプラグ１４３を、既に説明した端子−端子変換アダプタに差し込み、変換アダプタのプラグを、ヘッドフォン用の外部出力端子１４４に差し込む。その結果、面スピーカパネル１３７は、昇圧トランスやバイアス直流電源なしで駆動されて、小音量で音を出力する。その際、図１０に示した連動スイッチにより、コーンスピーカ１３３，１３４からは音が出力されない。
【００９１】
図１２は、図１１に示した実施形態における柔軟性を有する静電型の面スピーカの具体例を示す平面図である。
図１２（ａ）は、面スピーカの平面図であって、面スピーカ内の固定電極シートの配置を加えたものである。図１２（ｂ）は、図１２（ａ）に面スピーカ内の導電性接着剤の配置を加えた平面図である。
図１２（ｃ），（ｄ），（ｅ）は、それぞれ、図１２（ｂ）の矢視X-X，Y-Y，Z-Z方向を見た断面図である。図中、図６と同様な部分には同じ符号を付している。
この面スピーカ１５０は、モノラル（単チャンネル）用に、左右に２つの面スピーカユニット１５０A，１５０Bが、中央の連接部１５０Cにおいて折り曲げ可能に配置されたものである。ほぼ左右対称構造であるため、左右の対称構成には同じ符号を付し、左側の面スピーカユニット１５０Aについてのみ説明する。面スピーカユニット１５０A，１５０Bの間の領域が連接部１５０Cであり、面スピーカユニット１５０A，１５０Bを合わせたものの周縁部は、図示しない枠体を取り付ける領域となる。
【００９２】
図１２（ｂ）、図１２（ｃ）に示す１５１は、帯状の第１の導電性接着層であり、第１の固定電極シート６２と第３の絶縁性シート６１との両者の層間にあって、面スピーカ１５０の上縁の左半分に延設され、両者を接着する。
図１２（ａ）、図１２（ｂ）に示す１５２は、第１のFPC（フレキシブルプリント基板）であり、絶縁フィルムの裏面に導体箔（図示されない）が被着されたものである。
第１のFPC１５２は、第１の導電性接着層１５１と同一の層間にあって、面スピーカユニット１５０Aの上縁の一端部に設けられる。第１の導電性接着層１５１の一端部１５１ａと第１のFPC１５２の一端部１５２ａにおける導体箔とは、面スピーカユニット１５０Aの上縁の一部において重なり合い接着される。
第１のFPC１５２の他端部は、幅狭の第１の接続端子１５２ｂとなる。第１の接続端子１５２ｂの裏面にも導体箔が被着されている。第１の接続端子１５２ｂには入力線１６１の一端を挿入するための孔が開いており、挿通された入力線１６１の先端は、導体箔に半田付けされる。
【００９３】
図１２（ｂ）に示す１５３は、帯状の第２の導電性接着層であり、振動電極シート６４と第１の絶縁性シート６３との両者の層間にあって、面スピーカユニット１５０Aの左縁を縦方向に延設され、向きを変えて下縁の一部に至り、両者を接着する。
１５４は第２のFPCであり、絶縁フィルムの裏面に導体箔（図示せず）が被着されたものである。第２のFPC１５４は、第２の導電性接着層１５３と同一の層間にあって、面スピーカユニット１５０Aの左縁の上部に設けられる。第２の導電性接着層１５３の一端部１５３ａと第２のFPC１５４の一端部１５４ａにおける導体箔とは、面スピーカユニット１５０Aの左縁の一部において重なり合い接着される。
第２のFPC１５４の他端部は、幅狭の第２の接続端子１５４ｂとなる。第２の接続端子１５４ｂには、入力線１６２の一端を挿入するための孔が開いており、挿通された入力線１６２の先端は、導体箔に半田付けされる。
【００９４】
１５５は帯状の第３の導電性接着層であり、第２の絶縁性シート６５と第２の固定電極シート６６との両者の層間にあって、面スピーカユニット１５０Aの下縁に延設され、両者を接着する。
１５６は第３のFPCであり、第３の導電性接着層１５５と同じ層間にあって、面スピーカユニット１５０Aの下縁の一部から、方向を変えて左縁（第２の導電性接着層１５３の左側）を縦に延設される。第３の導電性接着層１５５の一端部１５５ａと第３のFPC１５６の一端部１５６ａにおける導体箔（図示せず）は、面スピーカユニット１５０Aの下縁の一部において重なり合い接着される。
第３のFPC１５６の他端部は、幅狭の第３の接続端子１５６ｂとなる。第３の接続端子１５６ｂには、入力線１６３の一端を挿入するための孔が開いており、挿通された入力線１６３の先端は、導体箔に半田付けされる。
【００９５】
図１２（ｂ）、図１２（ｄ）に示すように、連接部１５０Cは、この連接部１５０Cに隣接する面スピーカユニット１５０A，１５０Bの第３の絶縁性シート（前面保護シート）６１、第１の絶縁性シート６３、第２の絶縁性シート６５、第４の絶縁性シート（背面保護シート）６７のそれぞれと一体である、第３の絶縁性シート６１、第１の絶縁性シート６３、第２の絶縁性シート６５、第４の絶縁性シート（背面保護シート）６７を有し、かつ、面スピーカユニット１５０Aと１５０Bの第１の固定電極シート６２、振動電極シート（振動膜）６４、及び、第２の固定電極シート６６を欠如したものである。
なお、連接部１５０Cにおいては、第１の絶縁性シート６３、第２の絶縁性シート６５も欠如していてもよい。振動電極シート（振動膜）６４も、この連接部（折り畳み部）１５０Cに存在しないことになるので、折り曲げ使用時での振動を妨げないメリットもある。
従って、図８に示した連接部８２と同様に、連接部１５０Cに存在する絶縁性シートの層は、左右に隣接する面スピーカユニット１５０A，１５０Bにおける同じ層から連続して存在し、全てのユニット及び連接部に共通の連続した層である。この連接部１５０Cで折り曲げたり折り畳んだりしても、電極シートが傷まない。
【００９６】
次に、左右の面スピーカユニット１５０Aと１５０Bとの電気的結合構造について説明する。図１２（ｂ）、図１２（ｄ）に示す１５７は、帯状の第４の導電性接着層であり、先に説明した第３の導電性接着層１５３と同様に、振動電極シート６４と第１の絶縁性シート６３との両者の層間にあって、面スピーカユニット１５０Aの右縁を縦方向に延設され、両者を接着する。
右側の面スピーカユニット１５０Bにおいても、上述した第４の導電性接着層１５７と対称配置（面スピーカユニット１５０Bの左縁を縦方向）で同じ符号を付した第４の導電性接着層１５７が設けられている。
１５８は第４のFPCであり、絶縁フィルムの裏面に導体箔（図示せず）が被着され、その一端部１５８ａと他端部１５８ｂとは縦方向に延びた短冊状であり、両者は、縦方向上部において幅狭の連結部により連結された形状である。
第４のFPC１５８は、第４の導電性接着層１５７と同一の層間にあって、面スピーカユニット１５０Aの左縁及び面スピーカユニット１５０Bの右縁の上部に設けられる。左の第４の導電性接着層１５７の一端部１５７ａと第４のFPC１５８の一端部１５８ａにおける導体箔とは、面スピーカユニット１５０Aの右縁の一部において重なり合い接着される。同様に、右の第４の導電性接着層１５７の一端部１５７ａと第４のFPC１５８の他端部１５８ｂにおける導体箔とは、面スピーカユニット１５０Bの左縁の一部において重なり合い接着される。
【００９７】
また、右側の面スピーカユニット１５０Bにおいて、上述した第１の導電性接着層１５１と対称配置（面スピーカユニット１５０Bの上縁）で同じ符号を付した第１の導電性接着層１５１が設けられている。
１５９は第５のFPCであり、絶縁フィルムの裏面に導体箔（図示せず）が被着され、その一端部１５９ａと他端部１５９ｂとは横方向に延びた短冊状であり、両者は、同じ横方向の幅狭の連結部により連結された形状である。
第５のFPC１５９は、第１の導電性接着層１５１と同一の層間にあって、面スピーカユニット１５０A及び面スピーカユニット１５０Bの上縁に設けられる。左の第１の導電性接着層１５１の他端部１５１ｂと第５のFPC１５９の一端部１５９ａにおける導体箔（図示せず）とは、面スピーカユニット１５０Aの上縁の一部において重なり合い接着される。同様に、右の第１の導電性接着層１５１の他端部１５１ｂと第５のFPC１５９の他端部１５９ｂにおける導体箔１５９ｃ（図示せず）とは、面スピーカユニット１５０Bの上縁の一部において重なり合い接着される。
【００９８】
右側の面スピーカユニット１５０Bにおいて、上述した第２の導電性接着層１５５と対称配置（面スピーカユニット１５０Bの下縁）で同じ符号を付した第２の導電性接着層１５５が設けられている。
図１２（ｂ）、図１２（ｅ）に示す１６０は第６のFPCであり、絶縁フィルムの裏面に導体箔１６０ｃが被着され、上述した第６のFPC１５９と上下対称の形状をしている。
第６のFPC１６０は、第２の導電性接着層１５５と同一の層間にあって、面スピーカユニット１５０A及び面スピーカユニット１５０Bの下縁に設けられる。左の第２の導電性接着層１５５の他端部１５５ｂと第６のFPC１６０の一端部１６０ａにおける導体箔１６０ｃとは、面スピーカユニット１５０Aの下縁の一部において重なり合い接着される。同様に、右の第２の導電性接着層１５５の他端部１５５ｂと第６のFPC１６０の他端部１６０ｂにおける導体箔１６０ｃとは、面スピーカユニット１５０Bの下縁の一部において重なり合い接着される。
【００９９】
上述した第４〜第６のFPC１５８，１５９，１６０により、面スピーカユニット１５０Aの電極と１５０Bの電極との対応するもの同士が電気的に接続される。
面スピーカユニット１５０A，１５０Bの連接部１５０Cにおいては、上述した第４〜第６のFPC１５８，１５９，１６０の幅を狭くすることにより、連接部１５０Cを折り曲げやすくしている。
【０１００】
上述した第１〜第４の導電性接着層１５１，１５３，１５５、１５７、及び、第１〜第６のFPC１５２，１５４，１５６，１５８，１５９，１６０は、面スピーカユニット１５０A、１５０Bの振動を妨げないように、その縁部又は縁部のさらに外側に配置されている。第１〜第３の接続端子１５２ｂ，１５４ｂ，１５６ｂは、いずれも、それぞれの層間において、入力線１６１，１６２，１６３に接続され、入力線１６１，１６２，１６３は、図示の例では、共通のプラグ１６４に接続される。
【０１０１】
上述したモノラルの面スピーカ１５０を使用する場合、図１０に示した音源部１０３のステレオ出力を混合する混合部を設けて、ステレオ出力を混合する。混合部の出力を、増幅したものを、図１０の昇圧トランス１１２L，１１２Rと同様な昇圧トランスの１次コイルに出力すればよい。昇圧トランスの２次側の回路の出力端子は、図１１に示したソケット１３６に接続する。面スピーカ１５０のプラグ１６４は、図１１のプラグ１４３に対応する。
上述した面スピーカ１５０において、第４〜第６のFPC１５８，１５９，１６０を用いないで、面スピーカユニット１５０Bを、面スピーカユニット１５０Aと対称構造にし、面スピーカユニット１５０Bにも入力線１６１，１６２，１６３を設ければ、面スピーカ１５０がステレオスピーカとなる。
【０１０２】
再び図１１に戻って説明する。
面スピーカ１３８として、図６、図７、図８、図９に示した面スピーカ６０、７０、８０Ａ，８０Ｂ、９０を用いることができる。
面スピーカパネル１３７は、口棒１２６からつり下げているが、棚板の底面からつり下げてもよい。左右の側面板１２２の間において、下前板１３２と背面板を取り去って、演奏者側から背面側に吹き抜けとし、この吹き抜け部に面スピーカパネル１３７をつり下げてもよい。
【０１０３】
口棒１２６側において、別部材である被取付部（複数の係着部）１３５とソケット１３６とを一体化し、面スピーカパネル１３７側において、別部材であった取付部品（係止部）１４０とプラグ１４３とを一体化してもよい。
面スピーカパネル１３７を電子鍵盤楽器１２０の筐体に取付保持することに連動して電気的接続が実現される。
その際、１個の電極（モノラルの場合３個、ステレオの場合６個）毎に、互いに独立かつ離間した被取付部兼ソケット、取付部品兼プラグとすることにより、面スピーカパネル１３７を配設する作業をするときに、作業者の指が出力線の複数の回路に同時に触れる恐れが少なくなるので、万が一の感電を防止できる。
【０１０４】
図１３は、本願発明の第３の実施形態である、外付け面スピーカパネル１７１を備えた電子鍵盤楽器の外観図である。電子鍵盤楽器としては、例えば、図１に示した電子鍵盤楽器や図１１に示した電子鍵盤楽器１２０の本体部を用いる。
図１３（ａ）は斜視図、図１３（ｂ）は枠体１７３の上縁部１７３ａにおける水平断面図、図１３（ｃ）は、枠体１７３の中間高さ位置における水平断面図である。
この面スピーカパネル１７１は、図１や図１１に示したような電子鍵盤楽器の筐体とは独立して、筐体の外に、楽音信号に応じた音を出力するものである。
【０１０５】
図示の面スピーカ１７２は、左側の面スピーカユニット１７２Ａと右側の面スピーカユニット１７２Ｂとが連接部１７２Ｃにより連接されている。１７３は枠体であって、面スピーカユニット１７２Ａを支持する左側の枠体と面スピーカユニット１７２Ｂを支持する右側の枠体に分離されている。両者は左右対称の形状であるので、左側の枠体１７３についてのみ、符号を付して説明する。１７４はネジ部材である。
上述した面スピーカ１７２として、図１２に示した面スピーカ１５０が使用できる。その際、連接部１７２Ｃの構造として、図１２に示した連接部１５０Ｃの構造そのもの、さらには、後述する図１４に示す連接部１８０Ｃの構造を採用することができる。
【０１０６】
図１３（ｂ）に示す枠体１７３の上縁部１７３ａにおいて、枠体１７３の一定の深さにおいて、細溝１７５が形成されている。図１３（ｃ）に示す枠体１７３の左縁部１７３ｂ、右縁部１７３ｄ、下縁部１７３ｃにおいても同じ細溝１７５が形成されている。右縁部１７３ｄの細溝１７５から、左側の面スピーカユニット１７２Ａを挿入し、４箇所の取付孔１７６から、ネジ部材１７４を差し込み、面スピーカユニット１７２Ａの縁部を貫通して、ネジ孔１７７に締め付ける。
左右の枠体１７３を図示のように、折り曲げることにより、自立構造の面スピーカパネル１７１となる。折り曲げの角度、面スピーカユニット１７２Ａ，１７２Ｂを向ける方向を変えることにより、面スピーカパネル１７１から出力される音の指向性を変えることができる。
図示の例では、面スピーカユニット１７２A，１７２Bを２個とし、かつ、支持する枠体１７３を２個使用したが、連接する面スピーカユニット１７２A，１７２B，…の個数を増やし、枠体１７３の個数もそれに応じて増やしてゆけば、屏風型の面スピーカパネル１７１となる。
【０１０７】
図１４は、図１３に示した実施形態における柔軟性を有する静電型の面スピーカの具体例を示す部分断面図である。
図１４（ａ）は、折り曲げ前の面スピーカ１８０、図１４（ｂ）は連接部１８０Ｃで折り曲げた状態の面スピーカ１８０の部分断面図である。
この面スピーカ１８０は、隣接する面スピーカユニット１８０Ａ，１８０Ｂの連接部１８０Ｃを、折り曲げが容易な構造にしたものである。面スピーカ１８０の積層シートは、複数の面スピーカユニット１８０Ａ，１８０Ｂに区分され、各面スピーカユニット１８０Ａ，１８０Ｂの積層シート構造は図６と同一である。
原則として、図６と同様な部分には同じ符号を付しているが、絶縁性シートについては異なる符号を付している。１８１は第３の絶縁性シート、１８２は第１の絶縁性シート、１８３は第２の絶縁性シート、１８４は第４の絶縁性シート、１８５ａ，１８５ｂ、１８６ａ，１８６ｂ、１８７は接着層である。
【０１０８】
積層シートは、連接部１８０Ｃにおいて、第１の固定電極シート６２の層、振動電極シート６４の層、及び、第２の固定電極シート６６の層が欠如し、第３の絶縁性シート１８１の層、第１の絶縁性シート１８２の層、第２の絶縁性シート１８３の層、第４の絶縁性シート１８４の層が残存することにより、隣接する面スピーカユニット１８０Ａと１８０Ｂとが連結されている。
なお、第１の絶縁性シート１８２の層、第２の絶縁性シート１８３の層もまた欠如していてよい。
１８１ａ，１８２ａ，１８３ａ，１８４ａは、それぞれ、連接部における、第３の絶縁性シート、第１の絶縁性シート、第２の絶縁性シート、第４の絶縁性シートである。
図８に示した連接部８２と同様に、連接部１８０Cに存在する絶縁性シートの層は、左右に隣接する面スピーカユニット１８０A，１８０Bにおける同じ層から連続して存在し、全てのユニット及び連接部に共通の連続した層である。
ここで、連接部１８０Ｃにおいて、隣接する面スピーカユニット１８０Ａと１８０Ｂの一方から他方までの層の長さ、言い換えれば、連結距離が、第３の絶縁性シート１８１ａと第４の絶縁性シート１８４ａとでは異なるように形成されている。
【０１０９】
図示の例では、第３の絶縁性シート１８１ａの方が、連結距離が長い。その結果、第４の絶縁性シート１８４ａが平坦であるときに、第３の絶縁性シート１８１ａはたるんでいる。第１の絶縁性シート１８２ａ、第２の絶縁性シート１８３ａの長さ（連結距離）については、第３の絶縁性シート１８１ａ、第１の絶縁性シート１８２ａ、第２の絶縁性シート１８３ａ、第４の絶縁性シート１８４ａの順に連結距離を短くするとよい。
その結果、第１の絶縁性シート１８２ａ、第２の絶縁性シート１８３ａも、ゆるやかにたるんでいる。
【０１１０】
図１４（ａ）に示した面スピーカ１８０を連接部１８０Ｃにおいて折り曲げると、図１４（ｂ）に示すように、積層シートの層中間を基準に、層中間よりも外側の層は連結距離が伸び、それよりも内側の層は連結距離が縮まる。
そこで、先に説明したように、連接部１８０Ｃにおいて、第３の絶縁性シート１８１ａを最も連結距離の長いものにしておき、第４の絶縁性シート１８４ａほど、連結距離の短いものにしておけば、連接部１８０Ｃにおいて、第３，第１，第２，第４の絶縁性シート１８１ａ〜１８４ａに無理な応力が発生しない。
【０１１１】
接着層１８５ａ，１８５ｂは、帯状の両面接着テープであって、面スピーカユニット１８０Ａと連接部１８０Ｃとの境界領域、面スピーカユニット１８０Ｂと連接部１８０Ｃとの境界領域における、第３の絶縁性シート１８１と第１の絶縁性シート１８２の両者の層間にあって、連接部１８０Ｃの長手方向に、両者を接着する。この接着層１８５ａ，１８５ｂは、第１の固定電極シート６２の層と同じ厚みのスペーサとなることが好ましい。
接着層１８６ａ，１８６ｂも同様に、帯状の両面接着テープであって、境界領域において、第１の絶縁性シート１８２と第２の絶縁性シート１８３の両者を、連接部１８０Ｃの長手方向に接着する。接着層１８６ａ，１８６ｂは、接着層６８，６９と振動電極シート６４の層を合わせた厚みのスペーサとなることが好ましい。
接着層１８７も同様に、帯状の両面接着テープであって、連接部１８０Ｃの中央において、第２の絶縁性シート１８３ａと第４の絶縁性シート１８４ａの両者を、連接部１８０Ｃの長手方向に接着する。この接着層１８７は、第２の固定電極シート６６の層と同じ厚みのスペーサとなることが好ましい。
【０１１２】
連接部１８０Ｃは上述した構成にしなくてもよい。第３の絶縁性シート１８１から第４の絶縁性シート１８４まで、一様な分布構成（一様な連結距離）であっても、面スピーカ１８０を折り曲げて音を発生させるのに不都合はない。なぜなら、面スピーカ１８０の厚みが1［mm］程度であるから、曲げたときの最内層と最外層との伸縮差はごく僅かであるからである。しかしながら、１万回以上の折り曲げに耐える商品にするためには、上述した連接部１８０Ｃの構成にすることが望ましい。
【０１１３】
なお、積層体の耐久性向上に最も寄与する要因は、折り曲げられる最外層のシート（第３の絶縁性シート１８１）が、そのすぐ内側のシート（第１の絶縁性シート１８２）に対してずれが少なくなるようにすることである。例えば、最外層のシートが１万回折り曲げの初期に、そのすぐ内側のシートに対し一方的にずれることがあれば、その積層体の耐久性は落ちると思われる。これに対し、さらに内側のシート（第２の絶縁性シート１８３、第４の絶縁性シート１８４）は、最外層のシートとそのすぐ内側のシートにて保護される。従って、最外層のシートさえ保護しておけば、面スピーカの耐久性が上がると考えられる。
【符号の説明】
【０１１４】
１…側面板、２…天板、２ａ…線状孔、２ｂ…後傾斜板、２ｃ…線状板、３…底板、３ａ…基板、３ｂ…前方傾斜底板、３ｃ…下後板、３ｄ…下前板、３ｅ…後上底板、４…鍵盤部、４ａ…鍵盤フレーム、４ｂ…垂直リブ、４ｃ…白鍵、４ｄ黒鍵、４ｅ，４ｆ…拍子木、５…上前部、６ａ，６ｂ，６ｃ…操作パネル、７…ディスプレイ、８…上前板、８ａ…透孔、８ｂ…格子部、８ｃ，８ｄ…取付孔、８ｅ…段差部、９…面スピーカパネル、１０…コーンスピーカ、１０ａ…前面開口部、１１…フレーム板、１２…保持部材、１２ａ…取付部、１２ｂ…ネジ孔、１２ｃ…取付部、１２ｄ…取付孔、１３…電子回路ブロック、１４…内部空間、２１…枠体、２１ａ…開口部、２１ｂ…弾性変形部、２１ｃ…係止部、２１ｄ…取付孔、２１ｅ…弾性変形部、２１ｆ…係止部、２１ｇ…取付孔、２１ｈ…傾斜面、２１ｉ…貫通孔、２１ｊ…溝、２１ｋ…浅溝、２１L…傾斜面、２１ｍ…貫通孔、２１ｎ…溝、２１ｏ…開口部、２１ｐ…縦溝、
２２，２２L，２２R…面スピーカ、２２ａ，２２ｂ…接続端子、２２ｃ…取付孔、２２ｄ…係合孔、２３…パンチングパネル板、２３ａ…上端部、２３ｂ…ねじ孔、２３ｃ…下端部、２３ｄ…取付部、２３ｅ…ネジ孔、２４…マイナスドライバ、２５…ネジ部材、３１，３２…防振部材、３３…ネジ部材、４１…導電性弾性部材、４１ａ，４１ｃ，４１ｅ…山部、４１ｂ，４１ｄ…谷部、４２…導電性部材、４３…ネジ部材、５１…導電性弾性部材、５１ａ，５１ｃ…谷部、５１ｂ，５１ｄ…山部、５１ｅ，５１ｆ…端部、５１ｇ…矩形片、５１ｈ…取付孔、５１ｉ…係合突起、５２…ネジ部材、５３…導電性部材、５４…ネジ部材、
６０…面スピーカ、６１…第３の絶縁性シート、６２…第１の固定電極シート、６２ａ…貫通孔、６３…第１の絶縁性シート、６４…振動電極シート、６５…第２の絶縁性シート、６６…第２の固定電極シート、６６ａ…貫通孔、６７…第４の絶縁性シート、６８ａ〜６８ｈ，６９ａ〜６９ｈ…接着層、
７０…面スピーカ、７１ａ，７１ｂ，７１ｃ…接着層、
８０Ａ，８０Ｂ…面スピーカ、８１1〜８１5…面スピーカユニット、８２…連接部、８３1〜８３4…面スピーカユニット、８４ａ，８４ｂ…連接部、８４ｃ…周縁部、
９０…面スピーカ、９０L，９０R…面スピーカユニット（静電型面スピーカ）、９０C…連接部、９１，９３，９５…第１〜第３の導電性接着層、９１ａ，９３ａ，９５ａ…一端部、９２，９４，９６…第１〜第３のFPC（フレキシブルプリント基板）、９２ａ，９４ａ，９６ａ…一端部、９２ｂ，９４ｂ，９６ｂ…接続端子、９２ｃ，９４ｃ，９６ｃ…取付孔、９２ｄ，９６ｄ…導体箔、
１０１…検出部、１０２…制御部、１０３…音源部、１０４…操作子、１０５…自動演奏部、１０６…曲データ記憶部、１０７…MIDIインタフェース、１０８L，１０８R，１１０L増幅器、１０９L，１０９R…外部出力端子、１１０L，１１１L，１１１R…増幅器、１１２L，１１２R…昇圧トランス、１１３L，１１３R…バイアス直流電源、１１４L，１１４R…抵抗器、１１５L，１１５R，１１６L，１１６R，１１７L，１１７R…端子、１１８，１１８ａ〜１１８ｃ…連動スイッチ、
１２０…電子鍵盤楽器、１２１…脇側面板、１２２ａ…上部側面板、１２２ｂ…下部側面板、１２３…前脚、１２４…ステー、１２５…鍵盤蓋、１２６…口棒、１２７…上前板、１２８…譜面受、１２９…天板、１３０…譜面板、１３１…ペダルユニット、１３２…下前板、１３３，１３４…コーンスピーカ、１３５…被取付部、１３６…ソケット、１３７…面スピーカパネル、１３８…面スピーカ、１３９…枠体、１４０…取付部品、１４１…コード取出部、１４２…入力コード、１４３…プラグ、１４４…ヘッドフォン端子、１４５…収納箱、１４６…蓋板、１４６ａ…取っ手、１４７…出力コード、１４８…プラグ、
１５０…面スピーカ、１５０A，１５０B…面スピーカユニット、１５０C…連接部、１５１，１５３，１５５，１５７…導電性接着層、１５１ａ，１５３ａ，１５５ａ，１５７ａ…一端部、１５１ｂ，１５５ｂ…他端部、１５２，１５４，１５６，１５８，１５９，１６０…第１〜第６のFPC（フレキシブルプリント基板）、１５２ａ，１５４ａ，１５６ａ，１５８ａ，１５９ａ，１６０ａ…一端部、１５２ｂ，１５４ｂ，１５６ｂ…接続端子、１５５ｂ，１５８ｂ，１５９ｂ，１６０ｂ…他端部、１６０ｃ…導体箔、１６１，１６２，１６３…入力線、１６４…プラグ、
１７１…面スピーカパネル、１７２…面スピーカ、１７２Ａ，１７２Ｂ…面スピーカユニット、１７２Ｃ…連接部、１７３…枠体、１７３ａ…上縁部、１７３ｂ…左縁部、１７３ｃ…下縁部、１７３ｄ…右縁部、１７４…ネジ部材、１７５…細溝、１７６…取付孔、１７７…ネジ孔、
１８０…面スピーカ、１８０Ａ，１８０Ｂ…面スピーカユニット、１８０Ｃ…連接部、１８１〜１８４…第３，第１，第２，第４の絶縁性シート、１８１ａ〜１８４ａ…連接部における、第３,第１，第２，第４の絶縁性シート、１８５ａ，１８５ｂ，１８６ａ，１８６ｂ，１８７…接着層
【図１】
2012060195.tif 000003
【図２】
2012060195.tif 000004
【図３】
2012060195.tif 000005
【図４】
2012060195.tif 000006
【図５】
2012060195.tif 000007
【図６】
2012060195.tif 000008
【図７】
2012060195.tif 000009
【図８】
2012060195.tif 000010
【図９】
2012060195.tif 000011
【図１０】
2012060195.tif 000012
【図１１】
2012060195.tif 000013
【図１２】
2012060195.tif 000014
【図１３】
2012060195.tif 000015
【図１４】
2012060195.tif 000016